(57)【特許請求の範囲】
【請求項１】
第１の貫通穴を有する第１の部材と、
前記第１の貫通穴と連通され、雌ねじ部が形成される第２の貫通穴を有し、前記第１の部材と接合される第２の部材と、
頭部と、当該頭部から延伸する軸部と、からなるねじ部材と、
を備え、
前記軸部は、小径軸部と、当該小径軸部の前記頭部の反対側に連設され前記雌ねじ部と螺合可能に形成された雄ねじ部と、を有し、
前記小径軸部の径は、前記雄ねじ部の谷の径よりも小さく、
前記雄ねじ部は、前記第１の貫通穴と前記第２の貫通穴を挿通するとともに、前記雌ねじ部と非螺合状態になっており、
前記第１の部材は、第１の接合部材又は接着材により前記第２の部材に固定されていて、
前記雄ねじ部が前記第２の貫通穴を挿通した状態における前記頭部の天面は、前記第１の貫通穴内に位置されることを特徴とする締結構造。
【請求項２】
前記第１の貫通穴は、大径部と、該大径部と接続される段部と、該段部と接続される小径部とにより形成され、
前記雄ねじ部が前記第２の貫通穴を挿通した状態における前記頭部の天面は、前記大径部内に位置されることを特徴とする請求項１に記載の締結構造。
【請求項３】
前記大径部の直径は、前記頭部の直径よりも大きいことを特徴とする請求項２に記載の締結構造。
【請求項４】
前記軸部には、前記小径軸部よりも前記頭部側に前記ねじ部材を固定する固定用雄ねじ部が形成され、
前記小径部には、前記固定用雄ねじ部と螺合されて前記ねじ部材が固定される固定用雌ねじ部が形成され、
前記雄ねじ部及び前記雌ねじ部の呼び径は、前記固定用雄ねじ部及び前記固定用雌ねじ部の呼び径以下とされ、
前記固定用雄ねじ部と前記固定用雌ねじ部及び前記雄ねじ部と前記雌ねじ部の螺合状態及び非螺合状態は、一方が螺合状態のときは他方が非螺合状態となることを特徴とする請求項２又は請求項３に記載の締結構造。
【請求項５】
前記固定用雄ねじ部及び前記固定用雌ねじ部の巻方向は、前記雄ねじ部及び前記雌ねじ部の巻方向と逆方向であることを特徴とする請求項４に記載の締結構造。
【請求項６】
前記第２の貫通穴は、前記固定用雄ねじ部と螺合可能に形成される固定兼用雌ねじ部を有することを特徴とする請求項４又は請求項５に記載の締結構造。
【請求項７】
前記第１の部材は、第１の接合部材により前記第２の部材に固定されることを特徴とする請求項２乃至請求項６の何れかに記載の締結構造。
【請求項８】
前記第２の貫通穴に位置合わせされた凹部を有し、前記第２の部材と接合される第３の部材をさらに備え、
前記軸部は、前記第１の貫通穴、前記第２の貫通穴及び前記凹部に渡って挿通されるとともに、前記雄ねじ部は前記凹部内に位置されることを特徴とする請求項２乃至請求項７の何れかに記載の締結構造。
【請求項９】
前記第２の部材は、第２の接合部材により前記第３の部材に固定されることを特徴とする請求項８に記載の締結構造。
【請求項１０】
前記第１の部材と前記第２の部材の間には、前記第１の部材と前記第２の部材とにより挟持される被保持部材が設けられることを特徴とする請求項２乃至請求項９の何れかに記載の締結構造。
【請求項１１】
前記被保持部材の高さ寸法は、前記頭部が前記段部に当接している状態における前記雄ねじ部の前記頭部側端から前記雌ねじ部までの距離より大きいことを特徴とする請求項１０に記載の締結構造。
【請求項１２】
前記被保持部材は、レーザダイオードであることを特徴とする請求項１０又は請求項１１に記載の締結構造。
【請求項１３】
第１の貫通穴を有する第１の部材と、
前記第１の貫通穴と連通され、雌ねじ部が形成される第２の貫通穴を有し、前記第１の部材と接合される第２の部材と、
頭部と、当該頭部から延伸する軸部と、からなるねじ部材と、
を備え、
前記軸部は、小径軸部と、当該小径軸部の前記頭部の反対側に連設され前記雌ねじ部と螺合可能に形成された雄ねじ部と、を有し、
前記小径軸部の径は、前記雄ねじ部の谷の径よりも小さく、
前記雄ねじ部は、前記第１の貫通穴と前記第２の貫通穴を挿通するとともに、前記雌ねじ部と非螺合状態になっており、
前記第１の部材は、第１の接合部材又は接着材により前記第２の部材に固定されていて、
前記軸部には、前記小径軸部よりも前記頭部側に前記ねじ部材を固定する固定用雄ねじ部が形成され、
前記第１の貫通穴には、前記固定用雄ねじ部と螺合されて前記ねじ部材が固定される固定用雌ねじ部が形成され、
前記固定用雄ねじ部と前記固定用雌ねじ部が螺合状態になっていることを特徴とする締結構造。
【請求項１４】
請求項１乃至請求項１３の何れかに記載の締結構造を有する光源装置と、
前記光源装置からの光源光が照射され、画像光を形成する表示素子と、
前記表示素子から出射された前記画像光をスクリーンに投影する投影側光学系と、
を備えることを特徴とする投影装置。
【請求項１５】
第１の貫通穴を有する第１の部材と、前記第１の貫通穴と連通され、雌ねじ部が形成される第２の貫通穴を有する第２の部材と、を接合する部材接合工程と、
頭部と、当該頭部から延伸する軸部と、からなり、前記軸部は、小径軸部と、当該小径軸部の前記頭部の反対側に連設され前記雌ねじ部と螺合可能に形成された雄ねじ部と、を有するねじ部材の前記雄ねじ部と前記雌ねじ部とを螺合させる螺合工程と、
前記雄ねじ部を前記第１の貫通穴、前記第２の貫通穴に渡って挿通させ、前記頭部の天面を、前記第１の貫通穴内に位置させた状態で、前記雄ねじ部と前記雌ねじ部を非螺合状態とさせる螺合解除工程と、
を有することを特徴とする締結方法。
【請求項１６】
第１の貫通穴を有する第１の部材と、前記第１の貫通穴と連通され、雌ねじ部が形成される第２の貫通穴を有する第２の部材と、を接合する部材接合工程と、
頭部と、当該頭部から延伸する軸部と、からなり、前記軸部は、小径軸部と、当該小径軸部の前記頭部の反対側に連設され前記雌ねじ部と螺合可能に形成された雄ねじ部と、を有するねじ部材の前記雄ねじ部と前記雌ねじ部とを螺合させる螺合工程と、
前記雄ねじ部を前記第１の貫通穴、前記第２の貫通穴に渡って挿通させ、前記雄ねじ部と前記雌ねじ部を非螺合状態とさせる螺合解除工程と、
を有し、
前記軸部は、前記小径軸部よりも前記頭部側に、前記ねじ部材を固定する固定用雄ねじ部が形成され、
前記第１の貫通穴は、前記ねじ部材が固定される固定用雌ねじ部が形成され、
前記螺合解除工程の後に、前記固定用雄ねじ部と前記固定用雌ねじ部を螺合させる固定用ねじ螺合工程と、
を有することを特徴とする締結方法。
【請求項１７】
前記第１の貫通穴は、大径部と、該大径部と接続される段部と、該段部と接続される小径部とにより形成され、
前記固定用雌ねじ部は、前記小径部に形成されていることを特徴とする請求項１６に記載の締結方法。
【発明の詳細な説明】
【技術分野】
【０００１】
本発明は、部材同士を締結する締結構造と、この締結構造を備える投影装置、及び、部材同士を締結する締結方法に関する。
【背景技術】
【０００２】
従来から、複数の部材により被保持部材を挟持して、この被保持部材を取り出し難くする締結構造が開示されている。例えば、光源としてレーザダイオードを備える投影装置においては、このレーザダイオードが故意に取り出されて他の用途に転用されて誤使用されないよう、レーザダイオードを取り出し難くする締結構造とされている。
【０００３】
特許文献１に開示される投影装置においては、レーザダイオードを挟持する部材同士を締結する締結用のねじの側面を、他のねじにより押圧して塑性変形することにより、この締結用のねじを緩め難くした締結構造が開示されている。また、特許文献２に開示される投影装置においては、レーザダイオードを挟持する部材同士を貫通する孔部に、頭部を有する係止部材を挿入し、この頭部を接着剤等の封止剤により埋没させて部材同士を締結する締結構造が開示されている。
【先行技術文献】
【特許文献】
【０００４】
【特許文献１】特開２０１２−２４３５０８号公報
【特許文献２】特開２０１２−２０８２０７号公報
【発明の概要】
【発明が解決しようとする課題】
【０００５】
しかし、そのような構造であっても、入手可能な工具等により分解される恐れは残り、取り出しを防止したいレーザダイオード等の被保持部材が取り出されてしまう場合がある。
【０００６】
よって、本発明の目的は、別の観点で、分解しにくくする締結構造と、この締結構造を備える投影装置及び締結方法を提供する。
【課題を解決するための手段】
【０００７】
本発明の締結構造は、第１の貫通穴を有する第１の部材と、前記第１の貫通穴と連通され、雌ねじ部が形成される第２の貫通穴を有し、前記小径部側から前記第１の部材と接合される第２の部材と、頭部と、当該頭部から延伸する軸部と、からなるねじ部材と、を備え、前記軸部は、小径軸部と、当該小径軸部の前記頭部の反対側に連設され前記雌ねじ部と螺合可能に形成された雄ねじ部と、を有し、前記小径軸部の径は、前記雄ねじ部の谷の径よりも小さく、前記雄ねじ部は、前記第１の貫通穴と前記第２の貫通穴を挿通するとともに、前記雌ねじ部と非螺合状態になっており、前記第１の部材は、第１の接合部材又は接着材により前記第２の部材に固定されていて、前記雄ねじ部が前記第２の貫通穴を挿通した状態における前記頭部の天面は、前記第１の貫通穴内に位置されることを特徴とする。
また、本発明の締結構造は、第１の貫通穴を有する第１の部材と、前記第１の貫通穴と連通され、雌ねじ部が形成される第２の貫通穴を有し、前記第１の部材と接合される第２の部材と、頭部と、当該頭部から延伸する軸部と、からなるねじ部材と、を備え、前記軸部は、小径軸部と、当該小径軸部の前記頭部の反対側に連設され前記雌ねじ部と螺合可能に形成された雄ねじ部と、を有し、前記小径軸部の径は、前記雄ねじ部の谷の径よりも小さく、前記雄ねじ部は、前記第１の貫通穴と前記第２の貫通穴を挿通するとともに、前記雌ねじ部と非螺合状態になっており、前記第１の部材は、第１の接合部材又は接着材により前記第２の部材に固定されていて、前記軸部には、前記小径軸部よりも前記頭部側に前記ねじ部材を固定する固定用雄ねじ部が形成され、前記第１の貫通穴には、前記固定用雄ねじ部と螺合されて前記ねじ部材が固定される固定用雌ねじ部が形成され、前記固定用雄ねじ部と前記固定用雌ねじ部が螺合状態になっていることを特徴とする。
【０００８】
本発明の投影装置は、上述の締結構造を有する光源装置と、前記光源装置からの光源光が照射され、画像光を形成する表示素子と、前記表示素子から出射された前記画像光をスクリーンに投影する投影側光学系と、を備えることを特徴とする。
【０００９】
本発明の締結方法は、第１の貫通穴を有する第１の部材と、前記第１の貫通穴と連通され、雌ねじ部が形成される第２の貫通穴を有する第２の部材と、を接合する部材接合工程と、頭部と、当該頭部から延伸する軸部と、からなり、前記軸部は、小径軸部と、当該小径軸部の前記頭部の反対側に連設され前記雌ねじ部と螺合可能に形成された雄ねじ部と、を有するねじ部材の前記雄ねじ部と前記雌ねじ部とを螺合させる螺合工程と、前記雄ねじ部を前記第１の貫通穴、前記第２の貫通穴に渡って挿通させ、前記頭部の天面を、前記第１の貫通穴内に位置させた状態で、前記雄ねじ部と前記雌ねじ部を非螺合状態とさせる螺合解除工程と、を有することを特徴とする。
また、本発明の締結方法は、第１の貫通穴を有する第１の部材と、前記第１の貫通穴と連通され、雌ねじ部が形成される第２の貫通穴を有する第２の部材と、を接合する部材接合工程と、頭部と、当該頭部から延伸する軸部と、からなり、前記軸部は、小径軸部と、当該小径軸部の前記頭部の反対側に連設され前記雌ねじ部と螺合可能に形成された雄ねじ部と、を有するねじ部材の前記雄ねじ部と前記雌ねじ部とを螺合させる螺合工程と、前記雄ねじ部を前記第１の貫通穴、前記第２の貫通穴に渡って挿通させ、前記雄ねじ部と前記雌ねじ部を非螺合状態とさせる螺合解除工程と、を有し、前記軸部は、前記小径軸部よりも前記頭部側に、前記ねじ部材を固定する固定用雄ねじ部が形成され、前記第１の貫通穴は、前記ねじ部材が固定される固定用雌ねじ部が形成され、前記螺合解除工程の後に、前記固定用雄ねじ部と前記固定用雌ねじ部を螺合させる固定用ねじ螺合工程と、を有することを特徴とする。
【発明の効果】
【００１０】
本発明によれば、分解しにくくする締結構造と、この締結構造を備える投影装置及び締結方法を提供することができる。
【図面の簡単な説明】
【００１１】
【図１】本発明の実施形態に係る投影装置を示す外観斜視図である。
【図２】本発明の実施形態に係る投影装置の機能ブロックを示す図である。
【図３】本発明の実施形態に係る投影装置の内部構造を示す平面模式図である。
【図４】本発明の実施形態に係る励起光照射装置の斜視図である。
【図５】本発明の実施形態に係る励起光照射装置のレンズ押さえを省略した正面図である。
【図６】本発明の実施形態に係る励起光照射装置を示す図５のＶＩ−ＶＩ断面図であり、（ａ）はねじ部材が固定されている状態を示し、（ｂ）はねじ部材が固定されていない状態を示す。
【図７】本発明の実施形態に係る励起光照射装置を示す図５のＶＩ−ＶＩ断面に相当する断面図であり、（ａ）〜（ｄ）は締結方法における各工程を示す図である。
【図８】本発明の実施形態に係る締結方法のフロー図である。
【図９】本発明の別の実施形態に係る励起光照射装置を示す図５のＶＩ−ＶＩ断面に相当する断面図である。
【図１０】本発明のさらに別の実施形態に係る励起光照射装置のレンズ押さえを省略した正面図である。
【図１１】本発明のさらに別の実施形態に係る励起光照射装置を示す図１０のＸＩ−ＸＩ断面図である。
【発明を実施するための形態】
【００１２】
以下、本発明の実施の形態について図を用いて説明する。図１は、投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１３】
そして、投影装置１０は、図１に示すように、略直方体形状であって、投影装置１０の筐体の前方の側板とされる正面パネル１２の側方に投影口を覆うレンズカバー１９を有するとともに、この正面パネル１２には複数の排気孔１７を設けている。さらに、図示しないがリモートコントローラからの制御信号を受信するＩｒ受信部を備えている。
【００１４】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。
【００１５】
さらに、筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。また、背面パネルには、複数の吸気孔が形成されている。なお、図示しない筐体の側板である右側パネル、及び、図１に示した側板である左側パネル１５や正面パネル１２には、各々複数の排気孔１７が形成されている。また、左側パネル１５の背面パネル近傍の隅部や背面パネルには、吸気孔１８も形成されている。
【００１６】
次に、投影装置１０の投影装置制御手段について図２の機能ブロック図を用いて述べる。投影装置制御手段は、制御部３８、入出力インターフェース２２、画像変換部２３、表示エンコーダ２４、表示駆動部２６等から構成される。
【００１７】
この制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００１８】
そして、この投影装置制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００１９】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２０】
表示駆動部２６は、表示素子制御手段として機能するものであり、表示エンコーダ２４から出力された画像信号に対応して適宜フレームレートで空間的光変調素子（ＳＯＭ）である表示素子５１を駆動するものである。
【００２１】
そして、この投影装置１０は、光源装置６０から出射された光線束を、光源側光学系を介して表示素子５１に照射することにより、表示素子５１の反射光で光像を形成し、投影側光学系を介してスクリーンに画像を投影表示する。尚、この投影側光学系の可動レンズ群２３５は、レンズモータ４５によりズーム調整やフォーカス調整のための駆動が行われる。
【００２２】
また、画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２３】
さらに、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２４】
そして、筐体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２５】
なお、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２６】
また、制御部３８は、光源制御手段としての光源制御回路４１を制御しており、この光源制御回路４１は、画像生成時に要求される所定波長帯域の光が光源装置６０から出射されるように、励起光源や赤色光源装置から所定のタイミングで赤色、緑色及び青色の波長帯域光を発光させる個別の制御を行う。
【００２７】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源オフ後も冷却ファンの回転を持続させる、あるいは、温度センサによる温度検出の結果によっては投影装置１０本体の電源をオフにする等の制御も行う。
【００２８】
次に、この投影装置１０の内部構造について図３に基づいて述べる。図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えてなる。また、投影装置１０は、制御回路基板２４１の側方、つまり、投影装置１０筐体の略中央部分に光源装置６０を備えている。さらに、投影装置１０は、光源装置６０と左側パネル１５との間に、光源側光学系１７０や投影側光学系２２０が配置されている。
【００２９】
光源装置６０は、赤色波長帯域光の光源とされる赤色光源装置１２０と、青色波長帯域光の光源とされ、励起光源ともされる励起光照射装置７０と、緑色波長帯域光の光源とされる緑色光源装置８０と、を備える。緑色光源装置８０は、励起光照射装置７０と、蛍光ホイール装置１００とにより構成される。そして、光源装置６０には、赤、緑、青の各色波長帯域光を導光し、出射する導光光学系１４０が配置されている。導光光学系１４０は、各色光源装置から出射される各色波長帯域光をライトトンネル１７５の入射口に集光する。
【００３０】
緑色光源装置８０を構成する励起光源である励起光照射装置７０は、投影装置１０筐体の左右方向における略中央部分であって背面パネル１３近傍に配置される。そして、励起光照射装置７０は、背面パネル１３と光軸が平行になるよう配置された複数の半導体発光素子である青色レーザダイオード７１から成る光源群、各青色レーザダイオード７１からの出射光の光軸を正面パネル１２方向に９０度変換する反射ミラー群７５、反射ミラー群７５で反射した各青色レーザダイオード７１からの出射光を集光する集光レンズ７８、及び、青色レーザダイオード７１と右側パネル１４との間に配置されたヒートシンク８１等を備える。（ヒートシンク８１の詳細は、後述する図４で示すが、図３では、図４のヒートシンク８１の上部に整流板が設けられている図になっている。）
【００３１】
光源群は、３行８列の計２４個の青色レーザダイオード７１がマトリクス状に配列されて成る。また、各青色レーザダイオード７１の光軸上には、各青色レーザダイオード７１からの各出射光の指向性を高めるように各々平行光に変換するコリメータレンズ７３が夫々配置されている。また、反射ミラー群７５は、複数の反射ミラーが階段状に配列されてミラー基板７６と一体化されて位置調整を行って生成され、青色レーザダイオード７１から出射される光線束の断面積を一方向に縮小して集光レンズ７８に出射する。
【００３２】
ヒートシンク８１と背面パネル１３との間には冷却ファン２６１が配置されており、この冷却ファン２６１とヒートシンク８１とによって青色レーザダイオード７１が冷却される。さらに、反射ミラー群７５と背面パネル１３との間にも冷却ファン２６１が配置されており、この冷却ファン２６１によって反射ミラー群７５や集光レンズ７８が冷却される。
【００３３】
赤色光源装置１２０には、青色レーザダイオード７１と光軸が平行となるように配置された赤色光源１２１と、赤色光源１２１からの出射光を集光する集光レンズ群１２５と、が備えられる。この赤色光源１２１は、赤色波長帯域の光を発する半導体発光素子である赤色発光ダイオードである。そして、赤色光源装置１２０は、赤色光源装置１２０が出射する赤色波長帯域光の光軸が励起光照射装置７０から出射される青色波長帯域光及び蛍光ホイール１０１から出射される緑色波長帯域光の光軸と交差するように配置されている。さらに、赤色光源装置１２０は、赤色光源１２１の右側パネル１４側に配置されるヒートシンク１３０を備える。そして、ヒートシンク１３０と正面パネル１２との間には冷却ファン２６１が配置されており、この冷却ファン２６１及びヒートシンク１３０によって赤色光源１２１が冷却される。
【００３４】
蛍光ホイール装置１００は、正面パネル１２と平行となるように、つまり、励起光照射装置７０からの出射光の光軸と直交するように配置された蛍光ホイール１０１と、この蛍光ホイール１０１を回転駆動するホイールモータ１１０と、励起光照射装置７０から出射される励起光の光線束を蛍光ホイール１０１に集光するとともに蛍光ホイール１０１から背面パネル１３方向に出射される光線束を集光する集光レンズ群１０７と、蛍光ホイール１０１から正面パネル１２方向に出射される光線束を集光する集光レンズ１１５と、を備える。なお、ホイールモータ１１０と正面パネル１２との間には冷却ファン２６１が配置されており、この冷却ファン２６１によって蛍光ホイール装置１００等が冷却される。
【００３５】
蛍光ホイール１０１は、円盤状の金属基材であって、蛍光光が発光される蛍光発光領域と、入射光を拡散させる拡散透過領域とを有する。蛍光ホイール１０１の蛍光発光領域は環状の凹部として形成される。蛍光ホイール１０１の励起光照射装置７０側の表面は、銀蒸着等によってミラー加工がされることで光を反射する反射面が形成される。この反射面上に敷設される蛍光体層は、緑色蛍光体により形成されている。よって、この蛍光体層に励起光照射装置７０からの励起光としての青色波長帯域光が照射されると、緑色蛍光体が励起され、この緑色蛍光体から全方位に緑色波長帯域光が出射される。
【００３６】
蛍光発光された光線束は、直接又は反射面により反射され、蛍光ホイール１０１の正面側（換言すれば、背面パネル１３側）へ出射され、集光レンズ群１０７に入射する。蛍光体層の蛍光体に吸収されることなく金属基材に照射された励起光は、反射面により反射されて再び蛍光体層に入射し、蛍光体を励起することとなる。よって、蛍光ホイール１０１の凹部の表面を反射面とすることにより、励起光照射装置７０から出射される励起光の利用効率を上げることができ、より明るく発光させることができる。
【００３７】
一方、蛍光ホイール１０１における拡散透過領域に入射された励起光照射装置７０からの青色波長帯域光は、蛍光ホイール１０１を拡散透過され、蛍光ホイール１０１の背面側（換言すれば、正面パネル１２側）に配置された集光レンズ１１５に入射する。
【００３８】
そして、導光光学系１４０は、赤色、緑色、青色波長帯域の光線束を集光させる集光レンズや、各色波長帯域の光線束の光軸を変換して同一の光軸とさせる反射ミラー、ダイクロイックミラー等からなる。具体的には、導光光学系１４０には、励起光照射装置７０から出射される青色波長帯域光及び蛍光ホイール１０１から出射される緑色波長帯域光と、赤色光源装置１２０から出射される赤色波長帯域光とが交差する位置に、青色及び赤色波長帯域光を透過し、緑色波長帯域光を反射して、この緑色波長帯域光の光軸を左側パネル１５方向に９０度変換する第一ダイクロイックミラー１４１が配置されている。
【００３９】
また、蛍光ホイール１０１を拡散透過した青色波長帯域光の光軸上、つまり、集光レンズ１１５と正面パネル１２との間には、青色波長帯域光を反射して、この青色光の光軸を左側パネル１５方向に９０度変換する第一反射ミラー１４３が配置されている。第一反射ミラー１４３における左側パネル１５側には、集光レンズ１４６が配置され、さらにこの集光レンズ１４６の左側パネル１５側には、第二反射ミラー１４５が配置されている。第二反射ミラー１４５の背面パネル１３側には、集光レンズ１４７が配置されている。第二反射ミラー１４５は、第一反射ミラー１４３により反射され、集光レンズ１４６を介して入射される青色波長帯域光の光軸を背面パネル１３側に９０度変換する。
【００４０】
また、第一ダイクロイックミラー１４１の左側パネル１５側には、集光レンズ１４９が配置されている。さらに、集光レンズ１４９の左側パネル１５側であって、集光レンズ１４７の背面パネル１３側には、第二ダイクロイックミラー１４８が配置されている。第二ダイクロイックミラー１４８は、赤色波長帯域光及び緑色波長帯域光を反射して背面パネル１３側に９０度光軸を変換し、青色波長帯域光を透過させる。
【００４１】
第一ダイクロイックミラー１４１を透過した赤色波長帯域光の光軸は、第一ダイクロイックミラー１４１により反射された緑色波長帯域光の光軸と一致される。従って、第一ダイクロイックミラー１４１を透過した赤色波長帯域光及び第一ダイクロイックミラー１４１により反射された緑色波長帯域光は、共に集光レンズ１４９に入射される。そして、集光レンズ１４９を透過した赤色及び緑色波長帯域光は、第二ダイクロイックミラー１４８により反射され、光源側光学系１７０の集光レンズ１７３を介してライトトンネル１７５の入射口に集光される。一方、集光レンズ１４７を透過した青色波長帯域光は、第二ダイクロイックミラー１４８を透過して、集光レンズ１７３を介してライトトンネル１７５の入射口に集光される。
【００４２】
光源側光学系１７０は、集光レンズ１７３，ライトトンネル１７５，集光レンズ１７８，光軸変換ミラー１８１，集光レンズ１８３，照射ミラー１８５，コンデンサレンズ１９５により構成されている。なお、コンデンサレンズ１９５は、コンデンサレンズ１９５の背面パネル１３側に配置される表示素子５１から出射された画像光を投影側光学系２２０に向けて出射するので、投影側光学系２２０の一部ともされている。
【００４３】
ライトトンネル１７５の近傍には、ライトトンネル１７５の入射口に光源光を集光する集光レンズ１７３が配置されている。よって、赤色波長帯域光、緑色波長帯域光及び青色波長帯域光は、集光レンズ１７３により集光され、ライトトンネル１７５に入射される。ライトトンネル１７５に入射された光線束は、ライトトンネル１７５により均一な強度分布の光線束とされる。
【００４４】
ライトトンネル１７５の背面パネル１３側の光軸上には、集光レンズ１７８を介して、光軸変換ミラー１８１が配置されている。ライトトンネル１７５の出射口から出射した光線束は、集光レンズ１７８で集光された後、光軸変換ミラー１８１により、左側パネル１５側に光軸を変換される。
【００４５】
光軸変換ミラー１８１で反射した光線束は、集光レンズ１８３により集光された後、照射ミラー１８５により、コンデンサレンズ１９５を介して表示素子５１に所定の角度で照射される。なお、ＤＭＤとされる表示素子５１は、背面パネル１３側にヒートシンク１９０が設けられ、このヒートシンク１９０により表示素子５１は冷却される。
【００４６】
光源側光学系１７０により表示素子５１の画像形成面に照射された光源光である光線束は、表示素子５１の画像形成面で反射され、投影光として投影側光学系２２０を介してスクリーンに投影される。ここで、投影側光学系２２０は、コンデンサレンズ１９５，可動レンズ群２３５，固定レンズ群２２５により構成されている。固定レンズ群２２５は、固定鏡筒に内蔵される。可動レンズ群２３５は、可動鏡筒に内蔵され、レンズモータにより移動可能とされることにより、ズーム調整やフォーカス調整を可能としている。
【００４７】
このように投影装置１０を構成することで、蛍光ホイール１０１を回転させるとともに励起光照射装置７０及び赤色光源装置１２０から異なるタイミングで光を出射すると、赤色、緑色及び青色の各波長帯域光が導光光学系１４０を介して集光レンズ１７３及びライトトンネル１７５に順次入射され、さらに光源側光学系１７０を介して表示素子５１に入射されるため、投影装置１０の表示素子５１であるＤＭＤがデータに応じて各色の光を時分割表示することにより、スクリーンにカラー画像を投影することができる。
【００４８】
次に、図４に基づいて、励起光照射装置７０について説明する。図４は励起光照射装置７０の斜視図である。励起光照射装置７０には、青色レーザダイオード７１が設けられる。ここでは、青色レーザダイオード７１の出射方向（図３では右側方向）を上側として説明し、その反対方向（図３では左側方向）を下側として説明する。励起光照射装置７０は、第１の部材とされるレンズ保持部材４１０にコリメータレンズ７３が載置される。そして、コリメータレンズ７３は、レンズ保持部材４１０の上面側からレンズ押さえ４２０により押さえられている。レンズ押さえ４２０は、外周縁近傍六箇所の穴４２４にボルトが挿入されて、当該ボルトがレンズ保持部材４１０に設けられた対応するねじ穴４１１と螺合して固定されている。
【００４９】
一方、レンズ保持部材４１０の下面側には、青色レーザダイオード７１が載置される第２部材とされる固定部材４５０がレンズ保持部材４１０と接合されている。そして、固定部材４５０の下面側には、ヒートシンク８１が接合されている。
【００５０】
次に、図５に基づいて説明する。図５はレンズ押さえ４２０を省略して示し、コリメータレンズ７３側から見た上面図である。レンズ保持部材４１０の四隅及び長辺における中間部には、レンズ押さえ４２０をボルトにより固定するレンズ押さえ用のねじ穴４１１が設けられている。また、コリメータレンズ７３は、３行８列のマトリクス状に並べられ、レンズ保持部材４１０のレンズ載置穴４１２内に載置されている。
【００５１】
また、レンズ載置穴４１２間に六箇所設けられる座繰り穴４１４には、レンズ保持部材４１０と固定部材４５０とを固定する第１の接合部材とされる固定ボルト４１３が設けられる。また、固定部材４５０とヒートシンク８１は、レンズ保持部材４１０の上面視において座繰り穴４１４と同行に配置され、破線で示される第２の接合部材とされる固定ボルト４２１により固定されている。そして、ねじ穴４１１と同行２か所に配置される座繰り状の第１の貫通穴とされる貫通穴４７０には、励起光照射装置７０を分解しにくくするためのねじ部材４６０が設けられる。
【００５２】
図６に図５のＶＩ−ＶＩ断面図を示す。図６の（ａ）はねじ部材４６０がレンズ保持部材４１０に固定されている状態を示し、（ｂ）はねじ部材４６０がレンズ保持部材４１０に固定されていない状態を示す。図６（ａ）について、第１の部材とされるレンズ保持部材４１０のレンズ載置穴４１２内に環状に形成される載置部４１５には、コリメータレンズ７３が載置されている。コリメータレンズ７３の上面縁は、レンズ押さえ４２０の穴の下面側の縁と当接可能とされ、コリメータレンズ７３の上面側への移動が規制されている。
【００５３】
第２の部材とされる固定部材４５０には、青色レーザダイオード７１が載置されるＬＤ載置部４５１が座繰り状に形成されている。ＬＤ載置部４５１に載置される青色レーザダイオード７１は、レンズ保持部材４１０と固定部材４５０とにより挟持されて保持される。
【００５４】
なお、実際には、レンズ保持部材４１０の下面が青色レーザダイオード７１のフランジ部の上面を押圧し、レンズ保持部材４１０と固定部材４５０の間にわずかなギャップがあることが放熱の点等で好ましいが、ここでは、わかりやすく４１０と４５０が接触しているように示している。
【００５５】
固定部材４５０には、上面を座繰り状に形成し、第２の接合部材とされる固定ボルト４２１が貫通されるねじ穴部４２２が形成されている。ねじ穴部４２２に挿通される固定ボルト４２１は、ヒートシンク８１の上面側に形成されたねじ穴４２３と螺合される。よって、固定ボルト４２１により、固定部材４５０の下面とヒートシンク８１の上面が接合（締結）され、両者は固定される。
【００５６】
レンズ保持部材４１０に設けられる座繰り穴４１４は、レンズ保持部材４１０を貫通する第１の接合部材とされる固定ボルト４１３の頭部が挿入される。固定ボルト４１３は、固定部材４５０に設けられるねじ穴４５２と螺合される。よって、固定ボルト４１３により、レンズ保持部材４１０の下面と固定部材４５０の上面が接合され、両者は固定される。また、レンズ保持部材４１０が固定部材４５０に固定されることにより、レンズ保持部材４１０と固定部材４５０とにより青色レーザダイオード７１は挟持され、保持される。
【００５７】
そして、レンズ保持部材４１０に設けられる第１の貫通穴とされる貫通穴４７０には、上面側に形成された大径部４７１と、段部４７２と、小径部４７３が夫々形成される。このようにして、貫通穴４７０は座繰り状に形成される。小径部４７３には、雌ねじとされる固定用雌ねじ部４７４が形成されている。
【００５８】
固定部材４５０には、第２の貫通穴とされる貫通穴４８０が形成されている。貫通穴４８０には、雌ねじとされる雌ねじ部４８１が形成されている。貫通穴４８０は、レンズ保持部材４１０の貫通穴４７０と連通するように位置合わせされている。そして、第３の部材とされるヒートシンク８１には、筒状面を有する凹部４９０が形成されている。凹部４９０は、固定部材４５０の貫通穴４８０と位置合わせされている。すなわち、貫通穴４７０，４８０及び凹部４９０は、同心に連続して形成されている。
【００５９】
そして、ねじ部材４６０は、連通する貫通穴４７０，４８０及び凹部４９０に渡って挿通されている。ねじ部材４６０は、頭部４６１と頭部４６１から延伸する軸部４６５と、軸部４６５の頭部４６１の反対側に連設された雄ねじ部４６６を有し、軸部４６５の頭部４６１側に固定用雄ねじ部４６７を有している。そして、雄ねじ部４６６の固定用雄ねじ部４６７と雄ねじ部４６６の間は、ねじのきられていない小径軸部４６８となっている。つまり、ここでは、軸部４６５は、固定用雄ねじ部４６７と、小径軸部４６８と、雄ねじ部４６６とからなる。
【００６０】
頭部４６１の天面４６２には、プラス状のドライバの先端と嵌合可能な嵌合部が形成されている。頭部４６１の下面は、固定状態においては、段部４７２と当接されている。雄ねじ部４６６は、貫通穴４８０の雌ねじ部４８１と螺合可能な呼び径とされている。雄ねじ部４６６は、凹部４９０内に位置している。
そして、小径軸部４６８の径は、雄ねじ部４６６の谷の径（径方向におけるねじの谷と谷の間の距離）よりも小さい。
なお、ここでは、わかりやすくするために、小径軸部４６８は、ねじのきられていない円筒部として説明しているが、たとえ小径軸部４６８に、山の径（径方向におけるねじの山と山の間の距離）が、雄ねじ部４６６の谷の径よりも小さなねじがきられていたとしても問題はない。
【００６１】
上記のように、軸部４６５の雄ねじ部４６６よりも頭部４６１側（換言すれば、軸部４６５の基端部）には、雄ねじとされる固定用雄ねじ部４６７が形成されている。固定用雄ねじ部４６７は、貫通穴４７０の固定用雌ねじ部４７４と螺合可能な呼び径とされる。そして、雄ねじ部４６６及び雌ねじ部４８１の呼び径は、固定用雄ねじ部４６７及び固定用雌ねじ部４７４の呼び径以下に形成されている。例えば、雄ねじ部４６６及び雌ねじ部４８１の呼び径は、Ｍ３とされ、固定用雄ねじ部４６７及び固定用雌ねじ部４７４の呼び径は、Ｍ４とされる。なお、両者の呼び径は同じ呼び径として形成することもできる。
【００６２】
ここで、図６（ｂ）に示すように、ねじ部材４６０を取り外そうとしてドライバにより回転させると、固定用雄ねじ部４６７と固定用雌ねじ部４７４との螺合が解除される。しかし、このとき、軸部４６５の先端部に形成される雄ねじ部４６６は、雌ねじ部４８１との螺合が開始されず、非螺合状態とされている。よって、これ以上ねじ部材４６０を回しても、ねじ部材４６０は固定部材４５０から抜くことはできないので、レンズ保持部材４１０と固定部材４５０を完全に分離することはできない。また、雄ねじ部４６６は、凹部４９０によりねじ部材４６０の下方側を囲まれているので、ヒートシンク８１側からねじ部材４６０にアプローチして（例えば押して）雄ねじ部４６６と雌ねじ部４８１を螺合させてねじ部材４６０を取り外すことはできない。
【００６３】
さらに、ねじ部材４６０が図６（ｂ）に示す位置から、すなわち、仮にねじ部材４６０を上方側に持ち上げることができて、雄ねじ部４６６と雌ねじ部４８１が凹部４９０側から螺合開始される位置（状態）にできたとしても、ねじ部材４６０の天面４６２は、大径部４７１内に位置するように形成されている。これにより、この位置（状態）であっても、ねじ部材４６０の頭部４６１がレンズ保持部材４１０の上面から突出されないので、例えばスパナ等の工具によりねじ部材４６０を挟持しながらドライバ等によりねじ部材４６０を回転させて、雄ねじ部４６６と雌ねじ部４８１を螺合させることが防止される。
【００６４】
また、大径部４７１の直径は、頭部４６１の直径よりも僅かに大きく形成されている。すなわち、大径部４７１と頭部４６１とで形成される隙間Ｑ（図６（ａ）参照）は、スパナ等の部材を挟持可能な工具の挟持先端部が挿入されない程度の僅かな隙間となるよう形成されている。よって、隙間Ｑが小さいほどスパナ等の工具が挿入し難くなるので、大径部４７１の直径は、頭部４６１が回転可能な最小の直径とされることが望ましい。
【００６５】
また、図６（ａ）に示すように、頭部４６１の下面が段部４７２に当接している状態における雄ねじ部４６６の頭部４６１側端から雌ねじ部４８１の凹部４９０側端までの距離Ｓを、被保持部材とされる青色レーザダイオード７１の高さ寸法Ｔ未満としている。仮に、固定ボルト４１３が取り外され、レンズ保持部材４１０と固定部材４５０が何らかの方法で分離できたとしても、その間隔の最大値は距離Ｓとなる。従って、距離Ｓより大きい高さ寸法Ｔである青色レーザダイオード７１は、レンズ保持部材４１０と固定部材４５０との間から取り出すことはできない。
【００６６】
このように、ねじ部材４６０等の締結構造では、固定用雄ねじ部４６７と固定用雌ねじ部４７４及び雄ねじ部４６６と雌ねじ部４８１を、一方が螺合状態のときは他方が非螺合状態となるよう形成した。このため、ねじ部材４６０が貫通穴４７０，４８０及び凹部４９０に渡って挿通されている状態で、固定用雄ねじ部４６７と固定用雌ねじ部４７４及び雄ねじ部４６６と雌ねじ部４８１が両者ともに非螺合状態となる場合が存在することとなる。
【００６７】
次に、図７（ａ）〜（ｄ）及び図８により、ねじ部材４６０等により構成される締結構造の締結方法を説明する。まず、図７（ａ）に示すように、固定ボルト４２１による固定部材４５０とヒートシンク８１との固定をした後に、青色レーザダイオード７１を保持するように固定ボルト４１３によりレンズ保持部材４１０や固定部材４５０を固定する等の部材接続工程（図８のＳ１００）を行う。
【００６８】
次に、図７（ｂ）に示すように、ねじ部材４６０の雄ねじ部４６６を大径部４７１から貫通穴４７０に挿入し、雄ねじ部４６６は固定用雌ねじ部４７４を通過させ、雌ねじ部４８１と雄ねじ部４６６を螺合させる螺合工程（図８のＳ２００）を行う。
【００６９】
次に、図７（ｃ）に示すように、ねじ部材４６０を回転し続け、雌ねじ部４８１と雄ねじ部４６６の螺合状態を解除させて雄ねじ部４６６を凹部４９０に位置させる螺合解除工程（図８のＳ３００）を行う。
【００７０】
次に、図７（ｄ）に示すように、固定用雄ねじ部４６７を固定用雌ねじ部４７４に螺合させる固定用ねじ螺合工程（図８のＳ４００）を行い、ねじ部材４６０をレンズ保持部材４１０に固定させる。
【００７１】
以上の実施形態においては、固定用雄ねじ部４６７及び固定用雌ねじ部４７４の巻方向（ねじ切りの向き（右ねじ））は、雄ねじ部４６６及び雌ねじ部４８１の巻方向と同じ巻方向として説明したが、両者の巻方向を互いに逆方向とすることもできる。例えば、雄ねじ部４６６及び雌ねじ部４８１の巻方向を逆方向（左ねじ）として形成すれば、固定用雄ねじ部４６７及び固定用雌ねじ部４７４の螺合を解除しても、雄ねじ部４６６及び雌ねじ部４８１の巻方向が逆方向であると知らなければ、ねじ部材４６０を取り外すことはよりしにくくなる。
【００７２】
また、ねじ部材４６０の材質は、着磁ドライバにより、吸着されない非磁性体であることが好ましい。
【００７３】
また、第１の部材であるレンズ保持部材４１０と第２の部材である固定部材４５０とを固定する第１の接合部材としての固定ボルト４１３は、他の固定手段、例えば接着剤を用いることもできる。同様に、第２の接合部材としての固定ボルト４２１も他の固定手段とすることができる。
【００７４】
次に、図９に本発明に係る別の実施形態を示す。本実施形態におけるねじ部材５６０は、図９（ａ）に示すように、前述の実施形態における固定用雄ねじ部４６７を廃し、これとともに固定用雌ねじ部４７４も廃したものである。つまり、ここでは、軸部４６５は、小径軸部４６８と、雄ねじ部４６６とからなる。本実施形態においても、図９（ｂ）に示すように、ねじ部材５６０を取り外すには、ねじ部材５６０を持ち上げて雄ねじ部４６６と雌ねじ部４８１を螺合させなければならないので、レンズ保持部材４１０と固定部材４５０とを分解して青色レーザダイオード７１を取り出しにくくされている。
【００７５】
なお、ねじ部材５６０は、このままでは何れの部材にも固定されていない。よって、これにより不具合が生じる場合には、レンズ保持部材４１０の段部４７２と、ねじ部材５６０の頭部４６１の下面を接着剤等により接着しておくと好適である。
【００７６】
次に図１０及び図１１により、本発明に係るさらに別の実施形態を示す。本実施形態における締結構造は、ねじ部材６６０によりレンズ保持部材４１０と固定部材４５０とを固定させている。すなわち、ねじ部材６６０は、レンズ保持部材４１０と固定部材４５０を締結させるとともに、励起光照射装置７０から青色レーザダイオード７１を取り出しにくくするねじとしたものである。
【００７７】
本実施形態においては、図１０のＸＩ−ＸＩ断面図である図１１（ａ）に示すように、レンズ保持部材４１０に、座繰り状の貫通穴６７０を形成した。貫通穴６７０は、大径部４７１と、段部４７２と、小径部４７３により形成されている。一方、固定部材４５０の貫通穴４８０には、上側にレンズ保持部材４１０と固定部材４５０とを固定するための固定兼用雌ねじ部４８２が形成され、固定兼用雌ねじ部４８２と連続する下側には雌ねじ部４８１が形成されている。雌ねじ部４８１の呼び径は、固定兼用雌ねじ部４８２の呼び径以下の呼び径とされている。
【００７８】
ねじ部材６６０の軸部４６５は、固定用雄ねじ部６６７と、雄ねじ部４６６と、小径軸部４６８と、により形成されている。小径軸部４６８の先端には、雄ねじ部４６６が連設されている。雄ねじ部４６６と雌ねじ部４８１は、螺合可能に形成されている。そして、小径軸部４６８における雄ねじ部４６６よりも頭部４６１側には、レンズ保持部材４１０と固定部材４５０とを接合して固定するための固定用雄ねじ部６６７が形成されている。固定用雄ねじ部６６７は、固定兼用雌ねじ部４８２と螺合することにより、レンズ保持部材４１０と固定部材４５０とを接合して固定している。
【００７９】
ここで、本実施形態においても、青色レーザダイオード７１の高さ寸法Ｔよりも、雄ねじ部４６６の頭部４６１側の端から雌ねじ部４８１の凹部４９０側の端までの距離Ｓを小さく形成している。さらに、固定用雄ねじ部６６７と固定兼用雌ねじ部４８２及び雄ねじ部４６６と雌ねじ部４８１は、一方が螺合状態である場合には他方が非螺合状態となるよう形成されている。よって、図１１（ｂ）に示すように、ねじ部材６６０を緩めても、雄ねじ部４６６と雌ねじ部４８１は螺合開始されないので、ねじ部材６６０を取り外すことはできない。また、この場合においても、頭部４６１の全ては大径部４７１内に位置されているので、スパナ等で頭部４６１を挟持しながらねじ部材６６０を回して取り外すことはできない。
【００８０】
以上、本発明の実施形態を説明したが、本発明は以上の実施形態によっては限定されない。以上の実施形態においては、本発明に係る締結構造を投影装置の光源装置に用いた例により説明したが、本発明に係る締結構造は、分解しにくくしたい他の構造のものにも適用することができる。さらに、本発明の締結構造に加えて、分解防止用のねじ部材に接着剤等を用いることもできる。
【００８１】
以上、本発明の実施形態によれば、第１の部材とされるレンズ保持部材４１０には、大径部４７１、段部４７２、小径部４７３からなる第１の貫通孔としての貫通穴４７０が設けられる。そして、レンズ保持部材４１０は、小径部４７３側から第２の部材とされる固定部材４５０が接合される。固定部材４５０には、第２の貫通孔としての貫通穴４８０が設けられている。そして、ねじ部材４６０は、貫通穴４８０に形成される雌ねじ部４８１と螺合可能な雄ねじ部４６６設けられる小径軸部４６８と、頭部４６１とを有する。頭部４６１の天面４６２は、雄ねじ部４６６と雌ねじ部４８１との螺合開始位置においては大径部４７１内に位置する。
【００８２】
これにより、ねじ部材４６０を取り外そうとしても、ねじ部材４６０を持ち上げて回さないと雄ねじ部４６６と雌ねじ部４８１との螺合を開始させることはできない。ここで、ねじ部材４６０の頭部４６１は大径部４７１から突出されないので、容易にねじ部材４６０を上方に保持することはできない。
【００８３】
また、大径部４７１の直径は、頭部４６１の直径よりも僅かに大きく形成した。これにより、大径部４７１にスパナ等の工具を挿入して頭部４６１を挟持することができないので、さらにねじ部材４６０を取り出しにくくすることができる。
【００８４】
また、小径軸部４６８は、レンズ保持部材４１０の小径部４７３に形成される固定用雌ねじ部４７４と螺合される固定用雄ねじ部４６７が形成される。これにより、ねじ部材４６０は、レンズ保持部材４１０に固定されるので、通常時においてねじ部材４６０がガタつくこともなく、また、分解防止用のねじであるにもかかわらず、部材を固定するためのねじと区別できないダミー用のねじとすることもできる。
【００８５】
また、レンズ保持部材４１０にねじ部材４６０を固定するための固定用雄ねじ部４６７及び固定用雌ねじ部４７４の巻方向は、分解防止のための雄ねじ部４６６及び雌ねじ部４８１の巻方向と逆方向とした。これにより、さらにねじ部材４６０を取り外すことがし難くなるので、分解防止のための締結構造をより好適に実施することができる。
【００８６】
また、貫通穴４８０は、固定用雄ねじ部６６７と螺合可能に形成される固定兼用雌ねじ部４８２が形成されている。これにより、ねじ部材６６０は、締結構造を分解しにくくするための機能と、レンズ保持部材４１０と固定部材４５０とを固定するための機能とを併せ持つ。よって、レンズ保持部材４１０と固定部材４５０を締結するためだけのボルトの全部又は一部を省略することができるので、製造に掛かるコストを低減させることができる。
【００８７】
また、本実施形態の締結構造は、ねじ部材４６０とは別に、レンズ保持部材４１０と固定部材４５０とを固定する第１の接合部材とされる固定ボルト４１３を設けることができる。これにより、ねじ部材４６０の頭部と固定ボルト４１３の頭部は同じ面に表れる。従って、取り外すことができるねじが何れであるかが分かり難いので、さらに分解しにくい締結構造とすることができる。
【００８８】
また、本実施形態の締結構造は、貫通穴４８０に位置合わせされた凹部４９０を有するヒートシンク８１をさらに備え、小径軸部４６８は、貫通穴４７０，４８０及び凹部４９０に渡って挿通され、雄ねじ部４６６は凹部４９０内に位置される。これにより、ねじ部材４６０について、軸部４６５側（下方側）からアプローチすることも防止することができる。
【００８９】
また、本実施形態の締結構造は、ねじ部材４６０とは別に、固定部材４５０とヒートシンク８１とを固定する第２の接合部材とされる固定ボルト４２１を設けることができる。これにより、固定部材４５０とヒートシンク８１とを確実に固定することができるので、さらにねじ部材４６０の下方側からのアプローチがし難くなる。そして、固定ボルト４２１は、レンズ保持部材４１０により覆うことができるので、レンズ保持部材４１０の上面側からアプローチすることができない。従って、さらに分解しにくい締結構造とすることができる。
【００９０】
また、レンズ保持部材４１０と固定部材４５０との間には、被保持部材としての青色レーザダイオード７１が挟持されて保持される。これにより、取り出されることを望まない部材である被保持部材について、好適な締結構造とすることができる。
【００９１】
また、被保持部材である青色レーザダイオード７１の高さ寸法Ｔは、ねじ部材４６０の頭部４６１が段部４７２に当接している状態における雄ねじ部４６６の頭部４６１側端から雌ねじ部４８１の凹部４９０側端までの距離Ｓより大きく形成した。これにより、レンズ保持部材４１０と固定部材４５０とが分離できたとしても、その間隔は高さ寸法Ｔよりも小さくなるので、被保持部材を取り出すことがしにくい締結構造とすることができる。
【００９２】
また、本実施形態においては、被保持部材として青色レーザダイオード７１により構成された励起光照射装置７０とした。これにより、故意に取り出されて他の用途に転用されて誤使用されないことが望まれるレーザダイオードを用いた光源装置６０について、このレーザダイオードを取り出しにくい締結構造を適用することができる。
【００９３】
また、投影装置１０は、本発明に係る締結構造を有する励起光照射装置７０に青色レーザダイオード７１が設けられる光源装置６０を有する。そして、表示素子５１、投影側光学系２２０及び投影装置制御手段が備えられる。これにより、分解されて、取り出されることを望まない部材である青色レーザダイオード７１について、取り出しにくい締結構造を有する投影装置１０を得ることができる。
【００９４】
また、これら部材の締結方法は、レンズ保持部材４１０や固定部材４５０、ヒートシンク８１及びコリメータレンズ７３や青色レーザダイオード７１を固定ボルト４１３，４２１により接合する部材接合工程と、雄ねじ部４６６と雌ねじ部４８１とを螺合させる螺合工程と、雄ねじ部４６６と雌ねじ部４８１とを非螺合状態として雄ねじ部４６６を凹部４９０に位置させる螺合解除工程と、を有する。これにより、ねじ部材４６０により、レンズ保持部材４１０，固定部材４５０及びヒートシンク８１を分解しにくい締結構造とすることができる。
【００９５】
また、これら部材の締結方法は、螺合解除工程の後に、ねじ部材４６０をレンズ保持部材４１０に固定するよう固定用雄ねじ部４６７と固定用雌ねじ部４７４とを螺合させる固定用ねじ螺合工程を有する。これにより、ねじ部材４６０をレンズ保持部材４１０に固定させることができる。よって、ねじ部材４６０をレンズ保持部材４１０に固定させ、通常使用時のねじ部材４６０のガタつきを防止することができる。
【００９６】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９７】
以下に、本願出願の最初の特許請求の範囲に記載された発明を付記する。
［１］大径部と、
該大径部と接続される段部と、
該段部と接続される小径部とにより形成される第１の貫通穴と、
を有する第１の部材と、
前記第１の貫通穴と連通され、雌ねじ部が形成される第２の貫通穴を有し、前記小径部側から前記第１の部材と接合される第２の部材と、
頭部と、
当該頭部から延伸する軸部と、からなり、
前記軸部は、小径軸部と、当該小径軸部の前記頭部の反対側に連設された雄ねじ部と、
を有するねじ部材と、
を備え、
前記小径軸部の径は、前記雄ねじ部の谷の径よりも小さく、
前記雄ねじ部が前記第２の貫通穴を挿通した状態における前記頭部の天面は、前記大径部内に位置されることを特徴とする締結構造。
［２］前記大径部の直径は、前記頭部の直径よりも僅かに大きいことを特徴とする前記［１］に記載の締結構造。
［３］前記軸部には、前記小径軸部よりも前記頭部側に前記ねじ部材を固定する固定用雄ねじ部が形成され、
前記小径部には、前記固定用雄ねじ部と螺合されて前記ねじ部材が固定される固定用雌ねじ部が形成され、
前記雄ねじ部及び前記雌ねじ部の呼び径は、前記固定用雄ねじ部及び前記固定用雌ねじ部の呼び径以下とされ、
前記固定用雄ねじ部と前記固定用雌ねじ部及び前記雄ねじ部と前記雌ねじ部の螺合状態及び非螺合状態は、一方が螺合状態のときは他方が非螺合状態となることを特徴とする前記［１］又は前記［２］に記載の締結構造。
［４］前記固定用雄ねじ部及び前記固定用雌ねじ部の巻方向は、前記雄ねじ部及び前記雌ねじ部の巻方向と逆方向であることを特徴とする前記［３］に記載の締結構造。
［５］前記第２の貫通穴は、前記固定用雄ねじ部と螺合可能に形成される固定兼用雌ねじ部を有することを特徴とする前記［３］又は前記［４］に記載の締結構造。
［６］前記第１の部材は、第１の接合部材により前記第２の部材に固定されることを特徴とする前記［１］乃至前記［５］の何れかに記載の締結構造。
［７］前記第２の貫通穴に位置合わせされた凹部を有し、前記第２の部材と接合される第３の部材をさらに備え、
前記軸部は、前記第１の貫通穴、前記第２の貫通穴及び前記凹部に渡って挿通されるとともに、前記雄ねじ部は前記凹部内に位置されることを特徴とする前記［１］乃至前記［６］の何れかに記載の締結構造。
［８］前記第２の部材は、第２の接合部材により前記第３の部材に固定されることを特徴とする前記［１］乃至前記［７］の何れかに記載の締結構造。
［９］前記第１の部材と前記第２の部材の間には、前記第１の部材と前記第２の部材とにより挟持される被保持部材が設けられることを特徴とする前記［１］乃至前記［８］の何れかに記載の締結構造。
［１０］前記被保持部材の高さ寸法は、前記頭部が前記段部に当接している状態における前記雄ねじ部の前記頭部側端から前記雌ねじ部までの距離より大きいことを特徴とする前記［９］に記載の締結構造。
［１１］前記被保持部材は、レーザダイオードであることを特徴とする前記［９］又は前記［１０］に記載の締結構造。
［１２］前記［９］乃至前記［１１］の何れかに記載の締結構造を有する光源装置と、
前記光源装置からの光源光が照射され、画像光を形成する表示素子と、
前記表示素子から出射された前記画像光をスクリーンに投影する投影側光学系と、
を備えることを特徴とする投影装置。
［１３］大径部と、該大径部と接続される段部と、該段部と接続される小径部とにより形成される第１の貫通穴と、を有する第１の部材と、前記小径部と連通され、雌ねじ部が形成される第２の貫通穴を有する第２の部材と、を接合する部材接合工程と、
頭部と、当該頭部から延伸する軸部と、からなり、前記軸部は、小径軸部と、当該小径軸部の前記頭部の反対側に連設された雄ねじ部と、を有するねじ部材の前記雄ねじ部と前記雌ねじ部とを螺合させる螺合工程と、
前記雄ねじ部と前記雌ねじ部を非螺合状態とさせる螺合解除工程と、
を有することを特徴とする締結方法。
［１４］前記軸部は、前記小径軸部よりも前記頭部側に、前記ねじ部材を固定する固定用雄ねじ部が形成され、
前記小径部は、前記ねじ部材が固定される固定用雌ねじ部が形成され、
前記螺合解除工程の後に、前記固定用雄ねじ部と前記固定用雌ねじ部を螺合させる固定用ねじ螺合工程と、
を有することを特徴とする前記［１３］に記載の締結方法。
【符号の説明】
【００９８】
１０    投影装置                          １１    上面パネル
１２    正面パネル                        １３    背面パネル
１４    右側パネル                        １５    左側パネル
１７    排気孔                            １８    吸気孔
１９    レンズカバー                      ２１    入出力コネクタ部
２２    入出力インターフェース            ２３    画像変換部
２４    表示エンコーダ                    ２５    ビデオＲＡＭ
２６    表示駆動部                        ３１    画像圧縮／伸長部
３２    メモリカード                      ３５    Ｉｒ受信部
３６    Ｉｒ処理部                        ３７    キー／インジケータ部
３８    制御部                            ４１    光源制御回路
４３    冷却ファン駆動制御回路            ４５    レンズモータ
４７    音声処理部                        ４８    スピーカ
５１    表示素子                          ６０    光源装置
７０    励起光照射装置                    ７１    青色レーザダイオード
７３    コリメータレンズ                  ７５    反射ミラー群
７６    ミラー基板                        ７８    集光レンズ
８０    緑色光源装置                      ８１    ヒートシンク
１００  蛍光ホイール装置
１０１  蛍光ホイール                      １０７  集光レンズ群
１１０  ホイールモータ                    １１５  集光レンズ
１２０  赤色光源装置                      １２１  赤色光源
１２５  集光レンズ群                      １３０  ヒートシンク
１４０  導光光学系                        １４１  第一ダイクロイックミラー
１４３  第一反射ミラー                    １４５  第二反射ミラー
１４６  集光レンズ                        １４７  集光レンズ
１４８  第二ダイクロイックミラー          １４９  集光レンズ
１７０  光源側光学系                      １７３  集光レンズ
１７５  ライトトンネル                    １７８  集光レンズ
１８１  光軸変換ミラー                    １８３  集光レンズ
１８５  照射ミラー                        １９０  ヒートシンク
１９５  コンデンサレンズ                  ２２０  投影側光学系
２２５  固定レンズ群
２３５  可動レンズ群                      ２４１  制御回路基板
２６１  冷却ファン                        ４１０  レンズ保持部材
４１１  ねじ穴                            ４１２  レンズ載置穴
４１３  固定ボルト                        ４１４  座繰り穴
４１５  載置部                            ４２０  レンズ押さえ
４２１  固定ボルト                        ４２２  ねじ穴部
４２３  ねじ穴                            ４２４  穴
４５０  固定部材                          ４５１  ＬＤ載置部
４５２  ねじ穴                            ４６０  ねじ部材
４６１  頭部                              ４６２  天面
４６５  軸部                              ４６６  雄ねじ部
４６７  固定用雄ねじ部                    ４６８  小径軸部
４７０  貫通穴
４７１  大径部                            ４７２  段部
４７３  小径部                            ４７４  固定用雌ねじ部
４８０  貫通穴                            ４８１  雌ねじ部
４８２  固定兼用雌ねじ部                  ４９０  凹部
５６０  ねじ部材                          ６６０  ねじ部材
６６７  固定用雄ねじ部                    ６７０  貫通穴
【図１】
0006410085.tif 000002
【図２】
0006410085.tif 000003
【図３】
0006410085.tif 000004
【図４】
0006410085.tif 000005
【図５】
0006410085.tif 000006
【図６】
0006410085.tif 000007
【図７】
0006410085.tif 000008
【図８】
0006410085.tif 000009
【図９】
0006410085.tif 000010
【図１０】
0006410085.tif 000011
【図１１】
0006410085.tif 000012